(57)【特許請求の範囲】
【請求項１】
複数の装置間で行われる信号の授受を媒介する手段を備え、
前記媒介手段が、
第１の装置に接続される信号伝送用配線と、
この配線を通じて前記第１の装置から伝送される信号を受信し第２の装置に伝送する手段と、
を含み、
前記伝送手段が、前記第２の装置の信号入力部に接続したとき、前記第１の装置から伝送される信号を、前記入力部を通じて前記第２の装置に与える信号出力部であり、
前記第２の装置が、複数設置された第３の装置毎に備えられた、第３の装置を制御するためのリモコンであり、
前記第１の装置が、前記各第３の装置を集中的に制御するための集中制御装置であり、
前記リモコンが、制御信号に基づいて生成した光信号を対応する前記第３の装置に無線伝送する手段を備え、
前記光信号が、前記制御信号により変調された赤外線であり、
前記無線伝送手段が、赤外線送信部であるリモコンを備えたリモコンハンガー。
【請求項２】
請求項１記載のリモコンを備えたリモコンハンガーにおいて、
前記第３の装置が、人体局部を洗浄する機能を有する衛生洗浄装置であるリモコンを備えたリモコンハンガー。
【請求項３】
複数の装置間で行われる信号の授受を媒介する手段を備え、
前記媒介手段が、
第１の装置に接続される第１の信号伝送用配線と、
第２の装置に接続される第２の信号伝送用配線と、
第３の装置の信号出力部に接続する信号入力部と、
を含み、
前記第３の装置が、複数設置された第２の装置毎に備えられた、第２の装置を制御するためのリモコンであり、
前記第１の装置が、前記各第２の装置を集中的に制御するための集中制御装置であり、
前記リモコンが、制御信号に基づいて生成した光信号を対応する前記第２の装置に無線伝送する手段を備え、
前記光信号が、前記制御信号により変調された赤外線であり、
前記無線伝送手段が、赤外線送信部であり、
前記第３の装置の信号出力部が、対応するリモコンハンガーの信号入力部から離間しているとき、前記第３の装置からの信号が光信号として前記無線伝送手段により対応する前記第２の装置に伝送されるリモコンを備えたリモコンハンガー。
【発明の詳細な説明】
【０００１】
【発明の属する技術分野】
本発明は、例えば浴室やトイレ室等の室内の壁面に取付固定されるリモコンハンガーの改良に関する。以下、トイレ装置に取付けられる衛生洗浄装置を制御するためのリモコンに適用するリモコンハンガーを例にとり説明する。
【０００２】
【従来の技術】
従来のリモコンハンガーにおいては、例えば衛生洗浄装置のような遠隔操作可能な各種機器類のリモコンを、単に、室内の壁面等の適宜位置に確実に固定することができるものでさえあれば足り、上記固定機能以外の諸機能を負荷することについては全く考慮されていなかった。
【０００３】
【発明が解決しようとする課題】
そのため、制御対象である衛生洗浄装置を制御する場合は、専らリモコンの制御信号生成機能や、生成した制御信号の上記制御対象への送信機能に頼っていた。よって、例えばリモコンの制御信号送信機能を、ワイヤレス（つまり、無線伝送）からワイヤード（つまり、有線伝送）に変更しようとする場合、リモコン本体をワイヤレスからワイヤードに対応する仕様のものを新たに製造し直す必要が生じてくる。
【０００４】
また、例えばホテルのように多数の室を有し、しかも、各室のトイレ装置に夫々設置される衛生洗浄装置を１箇所で集中的に管理するような場合、集中制御装置からの制御信号の受信部を、新たに各々の衛生洗浄装置に設けなければならず。工事に多額の費用と多大な労力を投入しなければならないという問題が生じる。このように、従来においては、リモコンの機能を変更したり、リモコンとは別に新たな制御機能を付加したりする場合には、それに適合するようにリモコンの仕様を変更する必要があった。
【０００５】
従って本発明の目的は、リモコンの仕様を変更することなく、リモコンの機能を変更したり、リモコンとは別に新たな制御機能を付加したりすることができるようにすることにある。
【０００６】
【課題を解決するための手段】
本発明の第１の側面に従うリモコンハンガーは、複数の装置間で行われる信号の授受を媒介する手段を備える。
【０００７】
この構成によれば、リモコンハンガーに固有の機能であるリモコンを保持する機能に加えて、複数の装置間で行われる信号の授受を媒介するというリモコンハンガーの持つ本来の機能とは全く別の機能も付加される。
【０００８】
本発明の第１の側面に係る好適な実施形態では、媒介手段は、第１の装置に接続される信号伝送用配線と、この配線を通じて第１の装置から伝送される信号を受信し第２の装置に伝送する手段とを含んでいる。また、伝送手段としては、第１の装置から伝送される信号に基づいて生成した光信号を第２の装置に無線伝送する手段が用いられる。上記光信号としては、例えば第１の装置から伝送される信号により変調された赤外線が用いられ、無線伝送手段としては、例えば赤外線送信部が用いられる。
【０００９】
また、伝送手段の変形例としては、第２の装置の信号入力部に接続したとき、第１の装置から伝送される信号を上記信号入力部を通じて第２の装置に与える信号出力部がある。
【００１０】
上述した実施形態では、第２の装置は、複数設置された第３の装置毎に備えられた、第３の装置を制御するためのリモコンである。第１の装置は、各第３の装置を集中的に制御するための集中制御装置である。リモコンは、制御信号に基づいて生成した光信号を、対応する第３の装置に無線伝送する手段を備える。光信号としては、例えば制御信号により変調された赤外線が用いられ、また、無線伝送手段としては、赤外線送信部が用いられる。第３の装置の例としては、人体局部を洗浄する機能を有する衛生洗浄装置が挙げられる。更に、上述した実施形態では、上記リモコンハンガーは、第２、第３の装置の設置数に応じて複数設けられており、信号伝送用配線も上記両装置の設置数に応じて複数本設けられている。
【００１１】
本発明の第２の側面に従うリモコンハンガーは、複数の装置間で行われる信号の授受を媒介する手段を備え、媒介手段は、第１の装置に接続される第１の信号伝送用配線と、第２の装置に接続される第２の信号伝送用配線と、第３の装置の信号出力部に接続する信号入力部とを含んでいる。
【００１２】
本発明の第２の側面に係る好適な実施形態では、第３の装置は、複数設置された第２の装置毎に備えられた、第２の装置を制御するためのリモコンである。また、第１の装置は、各第２の装置を集中的に制御するための集中制御装置である。リモコンは、制御信号に基づいて生成した光信号を対応する第２の装置に無線伝送する手段を備える。光信号としては、例えば制御信号により変調された赤外線が用いられ、また、無線伝送手段としては、赤外線送信部が用いられる。第２の装置の例としては、人体局部を洗浄する機能を有する衛生洗浄装置が挙げられる。また、上述した実施形態では、上記リモコンハンガーは、第２、第３の装置の設置数に応じて複数設けられており、第１、第２の信号伝送用配線も上記両装置の設置数に応じて複数本設けられている。
【００１３】
第１の装置から伝送される信号は、各第１、第２の信号伝送用配線を通じて各第２の装置に伝送される。第３の装置の信号出力部が対応するリモコンハンガーの信号入力部に接続しているときには、第３の装置からの信号が対応する第２の信号伝送用配線を通じて対応する第２の装置に伝送される。また、第３の装置の信号出力部が対応するリモコンハンガーの信号入力部から離間しているときには、第３の装置からの信号が光信号として無線伝送手段により対応する第２の装置に伝送される。
【００１４】
本発明の第３の側面に従うリモコンハンガーは、信号生成の指令を入力するための操作部と、保持するリモコンの信号入力部に接続し、上記指令に応じて操作部から与えられる信号を信号入力部に印加するための信号出力部を有するリモコン保持部とを備える。
【００１５】
本発明の第３の側面に係る好適な実施形態では、操作部は、制御対象である装置の補助的機能を起動させるための指令を発するスイッチを有している。
【００１６】
本発明の第４の側面に従うリモコンハンガーは、信号生成の指令を入力するための操作部を含み、上記指令に応じた信号を生成する信号生成手段と、保持するリモコンの信号入力部に接続し、信号生成手段により生成された信号を信号入力部に印加するための信号出力部を有するリモコン保持部とを備える。
【００１７】
本発明の第４の側面に係る好適な実施形態では、操作部は、制御対象である装置の補助的機能を起動させるためのスイッチを有している。
【００１８】
本発明の第５の側面に従うリモコンハンガーは、信号生成の指令を入力するための操作部を含み、上記指令に応じた信号を生成する信号生成手段と、信号生成手段により生成される信号を制御対象である装置に伝送する手段とを備える。
【００１９】
本発明の第５の側面に係る好適な実施形態では、信号伝送手段としては、信号生成手段からの信号に基づいて生成した光信号を上記装置に無線伝送する手段が用いられる。光信号としては、例えば上記信号により変調された赤外線が用いられ、無線伝送手段としては、赤外線送信部が用いられる。
【００２０】
本発明の第６の側面に従う複数の装置の制御システムは、制御対象である複数の装置と、各装置を集中的に制御するための集中制御装置と、各装置毎に設けられ、各装置を制御するための信号を伝送する複数のリモコンと、各装置毎に設けられ、集中制御装置と各装置との間で行われる信号の授受、又は、各リモコンと、対応する各装置との間で行われる信号の授受を媒介する手段を有する複数のリモコンハンガーとを備える。
【００２１】
本発明の第６の側面に係る好適な実施形態では、各装置としては、例えば人体局部を洗浄する機能を有する衛生洗浄装置が挙げられる。
【００２２】
本発明の第７の側面に従うトイレ装置に取付けられる衛生洗浄装置の制御システムは、複数のトイレ装置と、各トイレ装置に夫々取付けられる、人体局部を洗浄する機能を有する複数の衛生洗浄装置と、各衛生洗浄装置を集中的に制御するための集中制御装置と、各衛生洗浄装置毎に設けられ、各衛生洗浄装置を制御するための信号を伝送する複数のリモコンと、各衛生洗浄装置毎に設けられ、集中制御装置と各衛生洗浄装置との間で行われる信号の授受、又は、各リモコンと、対応する各衛生洗浄装置との間で行われる信号の授受を媒介する手段を有する複数のリモコンハンガーとを備える。
【００２３】
【発明の実施の形態】
以下、本発明の実施の形態を、図面により詳細に説明する。
【００２４】
図１は、本発明のリモコンハンガーを備える衛生洗浄装置制御システムの第１の実施形態を示す説明図である。
【００２５】
上記システムは、図１に示すように、衛生洗浄装置１と、集中制御装置３とを備え、衛生洗浄装置１は、便座装置５と、リモコンハンガー７と、リモコン９とにより構成される。
【００２６】
便座装置５は、例えば洋式トイレ装置（図示しない）のようなトイレ装置に取付固定されるもので、便座装置本体（装置本体）１１と、装置本体１１に開閉自在に支持される便蓋１３及び便座１５と、装置本体１１の適宜箇所に設けられる赤外線受信部１７とを備える。
【００２７】
装置本体１１は、人体の便座１５への着座を検出して出力する着座センサや、便槽方向に伸縮自在な洗浄水吐出用ノズルや、ノズルに温水を供給する温水供給機構や、洗浄後の人体局部を乾燥させる温風乾燥機構（いずれも図示しない）を内蔵する。装置本体１１は、また、トイレ室内の悪臭を除去する脱臭装置や、トイレ室内を暖房する室内暖房機構（いずれも図示しない）や、上記着座センサからの出力信号や外部から与えられる指令信号を入力して上記各機器類を制御する制御部（図６以下において符号７７で示すマイコン）をも内蔵する。赤外線受信部１７は、外部から入射した赤外線を電気信号に変換して制御部に出力する。
【００２８】
リモコンハンガー７は、リモコン９を吊るした状態で保持するもので、例えばトイレ室（或いはトイレ装置を備えた浴室）内の壁面等の適宜位置に取付固定されており、信号伝送用の配線（配線）２１を通じて集中制御装置３に接続されている。リモコンハンガー７は、リモコン固定用フック２３と、赤外線送信部２５とを備える。
【００２９】
リモコン固定用フック２３には、リモコン９を吊るしたとき、リモコン９側の信号入力端子（図示しない）に電気的に接続する信号伝送用の金属接点（図示しない）が設けられる。金属接点とリモコン９側の信号入力端子とが電気的に接続した状態で、集中制御装置３から配線２１を通じて指令信号が出力されると、この指令信号は金属接点及び上記信号入力端子を通じてリモコン９に伝送される。
【００３０】
赤外線送信部２５は、図示のように、リモコン９がフック２３に吊るされてない状態（つまり、上記金属接点と上記信号入力端子とが電気的に接続されてない状態）のときのみ、集中制御装置３から配線２１を通じて出力される指令信号を入力し、この指令信号により変調した赤外線をリモコン９に送信する。
【００３１】
リモコン９は、上述した信号入力端子（図示しない）と、赤外線受信／送信部２７と、便座装置５各部（例えば洗浄水吐出用ノズルや、温水供給機構や、温風乾燥機構や、脱臭装置等）を制御するのに必要な各種スイッチ２９や表示部３１等を有する操作部３３とを備える。リモコン９は、更に、操作部３３からの信号に基づき、便座装置５各部を制御するのに必要な制御信号を生成するための制御部（図６以下において符号７１で示すマイコン）を備える。
【００３２】
赤外線受信／送信部２７は、図示のように、リモコン９がフック２３に吊るされてない状態で上記赤外線送信部２５から上記指令信号により変調された赤外線が送信されると、それを受信する。そして、その赤外線を復調することにより上記指令信号を解読し、解読した指令信号により変調した赤外線を便座装置５の赤外線受信部１７に送信する。リモコン９がフック２３に吊るされた状態では、集中制御装置３からの指令信号は、配線２１、フック２３の金属接点及びリモコン９の信号入力端子（いずれも図示しない）を通じて赤外線受信／送信部２７から上記赤外線受信部１７に送信される。
【００３３】
なお、リモコン９自身により生成される制御信号、即ち、各種スイッチ２９が操作されることにより上記制御部において生成される便座装置５各部を制御するための制御信号は、赤外線受信／送信部２７に出力される。そして、この制御信号により変調された赤外線が赤外線受信／送信部２７から上記赤外線受信部１７に送信される。
【００３４】
本実施形態では、リモコン９自身により生成される制御信号と、集中制御装置３からの指令信号とが共に赤外線受信／送信部２７に入力された場合は、赤外線受信／送信部２７はリモコン９側の制御信号を優先させることとした。つまり、使用中の衛生洗浄装置１や他の機器類（図示しない）の電源をＯＦＦする等の集中管理は、これらの機器類の使用が終了した後に行われる。
【００３５】
集中制御装置３は、各々異なる室内に設けられた多数のトイレ装置に個別に取付ける複数台の衛生洗浄装置１や、衛生洗浄装置１以外の他の機器類（図示しない）を集中管理するために設置されるもので、例えばホテルのように各客室毎にトイレ装置を有する多数の室を備えた施設の管理室等に設置される。
【００３６】
集中制御装置３は、マイクロプロセッサのような演算処理部と、各々の衛生洗浄装置１や他の機器類を集中管理するためのプログラムを格納するメモリと、入／出力部（いずれも図示しない）とを内蔵する。集中制御装置３の操作部３５には、各々の衛生洗浄装置１等を集中制御するのに必要な各種スイッチ３７や表示部３９等が設けられている。集中制御装置３の配線接続部４１には、集中制御装置３と各々の衛生洗浄装置１等との間を接続するために上述した配線２１と同様の配線２１が複数本（つまり、制御対象となる衛生洗浄装置１等の機器類の設置台数に対応する本数）取付けられている。
【００３７】
図２は、図１に示したシステムの全体構成を示すブロック図である。
【００３８】
図２に示すように、集中制御装置３は、各室Ａ、Ｂ、Ｃ…のトイレ装置毎に設けられる複数台の衛生洗浄装置１を集中的に制御する。例えば、上記各室Ａ、Ｂ、Ｃ…がホテルの客室であるとすれば、昼間の時間帯は通常客が在室していないから、集中制御装置３は、節電のために上記各衛生洗浄装置１の電源を一斉にＯＦＦにする制御を実行する。なお、上述した各室の衛生洗浄装置１に加えて、室Ｍに設けられる衛生洗浄装置１以外の機器類（例えば、リモコンハンガーｎ1、リモコンｎ2、空気調和機ｎ3等から成る空気調和装置）Ｎをも集中制御装置３の管理下に置き、この機器類Ｎについても、上記と同様な制御を行うことも可能である。
【００３９】
上述したシステムの第１の実施形態によれば、集中制御装置によって複数の衛生洗浄装置１を集中的に管理する場合に、標準仕様のリモコンに代えて集中管理に対応した特殊な仕様のリモコンを新たに製造しなくても、各衛生洗浄装置１毎に設置するリモコンハンガーを、上記特殊な仕様のものに取替えるだけで済む。そのため、複雑な構成を有する特殊な仕様のリモコンを新たに製造する手間を省くことができ、また、製造コストの上昇をも抑制することができる。
【００４０】
なお、上述した第１の実施形態では、制御信号等の信号がリモコン９又は集中制御装置３側から便座装置５側に送信される一方向通信として説明したが、便座装置５側からもリモコン９又は集中制御装置３側に送信される双方向通信としても良い。また、リモコン９では、赤外線の受信機能と送信機能とを共に備えた赤外線受信／送信部２７を用いることとしたが、赤外線受信／送信部２７に代えて赤外線受信部と赤外線送信部とを別個に設けることとしても良い。
【００４１】
図３は、本発明のリモコンハンガーを備える衛生洗浄装置制御システムの第２の実施形態を示す説明図である。
【００４２】
本実施形態は、装置本体１１内の各種機器類（図示しない）とリモコンハンガー４５の金属接点４９及び上記配線２１との間を信号伝送用の配線４７で接続した点と、リモコン５１に、装置本体１１への指令信号の伝送を赤外線により行うか又は電気信号により行うか選択する機能を備えた点とを、その特徴とする。つまり、配線２１を通じて上述した集中制御装置３から出力される指令信号は、上記選択機能により常時配線４７を通じて装置本体１１側へ伝送される。
【００４３】
他方、リモコン５１からの指令信号は、リモコン５１をフック２３に引掛けて載置部４５ａに載置することにより接続端子５５と金属接点４９同士が電気的に接続したときは、上記選択機能により電気信号として配線４７を通じて装置本体１１側へ伝送される。しかし、リモコン５１とハンガー４５とが離間しているときは、上記選択機能によって赤外線送信部５３が起動し、リモコン５１からの指令信号により変調された赤外線が赤外線送信部５３より装置本体１１に送信される。そして、この赤外線が赤外線受信部１７で受信され、復調されることにより、装置本体１１内の各機器類は装置本体１１側の制御部（図示しない）の制御下で駆動する。
【００４４】
図４は、図３に示したシステムを示すブロック図である。
【００４５】
上述したように、集中制御装置３からの指令信号は、常時、配線４７を通じて電気信号の状態でＸ室内にある装置本体１１側に伝送されるが、リモコン５１からの指令信号はリモコン５１がハンガー４５から離間しているときは、破線矢印５７で示すように赤外線として装置本体１１の赤外線受信部１７に送信される。また、リモコン５１がハンガー４５により保持されているときは、リモコン５１からの指令信号は太線矢印５９で示すように、電気信号の状態でハンガー４５の金属接点４９に印加され、集中制御装置３からの指令信号と同様、配線４７を通じて装置本体１１側に伝送される。
【００４６】
上述したシステムの第２の実施形態によれば、標準仕様のリモコン、つまり、ワイヤレスリモコン（リモコン５１）にワイヤード仕様のリモコンハンガー、つまり、装置本体１１と配線４７で接続されるリモコンハンガー４５を、図１で示したワイヤレス仕様のリモコンハンガー７に代えて用いることとした。そのため、ワイヤード仕様のリモコンを用いなくても、所謂ワイヤード操作の可能なリモコンが得られる。なお、上記配線とは別に給電線（図示しない）を、リモコンハンガー４５と便座装置５又は他の機器類（図示しない）との間に接続して、リモコンハンガー４５に保持されているリモコン５１に、配線４７、金属接点４９及び接続端子５５を通じて駆動電源を給電することとしても良い。
【００４７】
図５は、本発明のリモコンハンガーを備える衛生洗浄装置制御システムの第３の実施形態を示す説明図である。
【００４８】
本実施形態は、リモコンハンガー６１に、リモコン９の機能（主要な機能）を補完するために複数の補助的な操作ボタン６３を有する操作部６５を設ける。そして、ハンガー６１の内部に、上記操作部６５からの出力信号を読込んで演算処理するためのマイコン（マイクロコンピュータ）や、マイコンからの指令信号を赤外線送信部２５に印加することにより、指令信号で変調された赤外線を赤外線送信部２５から送信させるための信号出力部等を備えることを特徴とする。なお、リモコンハンガー６１と上述した集中制御装置との間は、上記配線２１により接続されているものとする。
【００４９】
図６は、図５に示したシステムを示すブロック図である。
【００５０】
図６において、リモコン９側の操作ボタン２９の操作により操作部３３から信号が出力されると、それに基づきマイコン７１は便器装置５各部の制御信号を生成し、信号出力部７３に出力する。これにより、図５で示した赤外線送信部２７から上記制御信号で変調された赤外線が番座装置５の赤外線受信部１７（図１及び図３参照）に送信される。受信部１７で受信した赤外線から復調された制御信号が信号入力部７５からマイコン７７に入力されることにより、マイコン７７が制御対象機器７９を制御する。
【００５１】
上記と同様に、リモコンハンガー６１側の操作ボタン６３の操作により操作部６５から信号が出力されると、それに基づきマイコン６７は便器装置５各部の制御信号を生成し、信号出力部６９に出力する。これにより、図５で示した赤外線送信部２５から上記制御信号で変調された赤外線が便座装置５の赤外線受信部１７に送信され、便座装置５側で上記と同様な処理が実行される。
【００５２】
なお、本実施形態では、リモコンハンガー６１の操作部６５に、リモコン９の機能を補完するための複数の補助的な操作ボタン６３を備えることとしたが、便器装置５以外の装置（機器）の操作用ボタンをも設けることとしても差支えない。
【００５３】
図７は、上述した第３の実施形態の第１変形例を示すブロック図である。
【００５４】
本変形例では、リモコンハンガー６１は、独自の信号出力部や赤外線送信部を持たず、ハンガー６１側のマイコン６７で生成された制御信号が、ハンガー６１に保持されたリモコン９側の信号出力部７３及び赤外線送信部２７を通じて便座装置５側に送信されるようにしたことを特徴とする。本変形例においても、上記第３の実施形態におけると略同様の効果を奏し得る。
【００５５】
図８は、上記第３の実施形態の第２変形例を示すブロック図である。
【００５６】
本変形例では、リモコンハンガー６１は、独自のマイコンや信号出力部や赤外線送信部を有しない。つまり、ハンガー６１側の操作部６５から出力された信号は、ハンガー６１に保持されたリモコン９側のマイコン７１に入力され、マイコン７１で生成された制御信号が、信号出力部７３及び赤外線送信部２７を通じて便器装置５側に送信されるようにしたことを特徴とする。本変形例においても、上記第３の実施形態や第１変形例におけると略同様の効果を奏し得る。
【００５７】
なお、上述した内容は、あくまで本発明の各実施形態及びそれらの変形例に関するものであって、本発明が上記内容のみに限定されることを意味するものでないのは勿論である。
【００５８】
【発明の効果】
以上説明したように、本発明によれば、リモコンの仕様を変更することなく、リモコンの機能を変更したり、リモコンとは別に新たな制御機能を付加したりすることができる。
【図面の簡単な説明】
【図１】本発明のリモコンハンガーを備える衛生洗浄装置制御システムの一実施形態を示す説明図。
【図２】図１のシステムの全体構成を示すブロック図。
【図３】本発明のリモコンハンガーを備える衛生洗浄装置制御システムの第２の実施形態を示す説明図。
【図４】図３のシステムを示すブロック図。
【図５】本発明のリモコンハンガーを備える衛生洗浄装置制御システムの第３の実施形態を示す説明図。
【図６】図５のシステムの全体構成を示すブロック図。
【図７】第３の実施形態の第１変形例を示すブロック図。
【図８】第３の実施形態の第２変形例を示すブロック図。
【符号の説明】
１  衛生洗浄装置
３  集中制御装置
５  便座装置
７、４５  リモコンハンガー（リモートコントローラハンガー）
９、５１  リモコン（リモートコントローラ）
１１  装置本体（便座装置本体）
１３  便座
１５  便蓋
１７  赤外線受信部
１９  制御部
２１、４７  信号伝送用の配線（配線）
２３  リモコン固定用フック
２５、５３  赤外線送信部
２７  赤外線受信／送信部
２９、３７  各種スイッチ
３１、３９  表示部
３３、３５  操作部
４１  配線接続部
４９  金属接点
５５  リモコン５１の接続端子
【図１】
0003661915.tif 000002
【図２】
0003661915.tif 000003
【図３】
0003661915.tif 000004
【図４】
0003661915.tif 000005
【図５】
0003661915.tif 000006
【図６】
0003661915.tif 000007
【図７】
0003661915.tif 000008
【図８】
0003661915.tif 000009